(57)【要約】      （修正有）【課題】コンパクトに収容可能な体重計、スタンドを備えた体重計、スタンドを提供する。【解決手段】秤量機構を有する大型の平板型計量台１０と、計量台１０を収容可能なスタンド２０とを備えた体重計１であって、スタンド２０は、床面に接地してスタンド２０を自立させ、計量台１０を載置可能なベースの載置面２４ａと、ベースから立設された支持体２２と、支持体２２の上方に上下方向に揺動可能に支持された表示部４０とを有し、表示部４０は、スタンド２０の載置面２４ａに倒立状態で載置された計量台１０と係合することにより、倒立状態の計量台１０を表示部４０で固定してスタンド２０に保持する。【選択図】図１０
2020112360.tif 000002
【特許請求の範囲】
【請求項１】
秤量機構を有する大型の平板型計量台と、前記計量台のスタンドとを備えた体重計であって、
前記スタンドは、
床面に接地して前記スタンドを自立させ、前記計量台を載置可能なベースと、
前記ベースから立設され、前記計量台が前記ベースに載置された際に前記計量台を支持する支持部と、
前記支持部の上方に上下方向に揺動可能に支持された表示部と、
を有し、
前記表示部は、前記ベースに倒立状態で載置された前記計量台と係合する、
ことを特徴とする体重計。
【請求項２】
前記表示部の下面には、前記計量台と係合する係合部が設けられており、
前記計量台が倒立状態で前記ベースに載置された際に、前記係合部が前記計量台の側面と底面の二面接合部に係合し前記計量台を固定する、
ことを特徴とする請求項１に記載の体重計。
【請求項３】
前記表示部の下面には、前記計量台と係合する凸状の係合部が下方へ向かって垂設されており、
前記表示部は、前記計量台が倒立状態で前記ベースに載置された際の前記計量台の上端よりも上方位置で、前記支持部に揺動可能に支持される。
ことを特徴とする請求項１又は請求項２に記載の体重計。
【請求項４】
前記支持部は円柱形状の部材により構成され、表面に突起を有した水平方向に伸びる水平部を有し、
前記表示部は、前記突起が嵌通する溝が内面に形成されたＵ字または筒状のクランプにより前記水平部に揺動可能に取付けされる、
ことを特徴とする請求項１〜請求項３のいずれかに記載の体重計。
【請求項５】
秤量機構を有する大型の平板型計量台のスタンドであって、
床面に接地して前記スタンド全体を自立させ、前記計量台を載置可能なベースと、
前記ベースから立設された、前記計量台が前記ベースに際された際に前記計量台を支持する支持部と、
前記支持部の上方に上下方向に揺動可能に支持された表示部と、
を備え、
前記表示部は、前記ベースに倒立状態で載置された前記計量台と係合する、
ことを特徴とするスタンド。
【請求項６】
折り畳んで収納可能な体重計であって、
秤量機構を有する大型の平板型計量台と、
前記計量台に取付けられ、前記計量台を回動可能に支持するベースと、
前記ベースから立設され、計量時に手すりとなる支持部と、
前記支持部の上方に上下方向に揺動可能に支持された表示部と、
を備え、
前記計量台が前記支持部へ向かって折りこまれた際、前記表示部は前記計量台に係合する、
ことを特徴とする体重計。
【発明の詳細な説明】
【技術分野】
【０００１】
本願発明は主に車椅子体重計などの医療用の大型体重計において、コンパクトに収納可能な体重計、体重計を収容可能なスタンド、およびスタンドを備えた体重計に関する。
【背景技術】
【０００２】
従来、車椅子体重計などの医療用の大型の薄型秤は、使用時の床占領面積が大きいため、不使用時には、例えば特許文献１のように計量台を専用のスタンドに立てかけて収容していた。
【先行技術文献】
【特許文献】
【０００３】
【特許文献１】特開２０１２−１１２６６１号
【発明の概要】
【発明が解決しようとする課題】
【０００４】
しかし、立てかけた計量台が倒れないよう保持するためにスタンドの幅も大きくならざるを得ず、スタンド自体も大型になり結局収容時の床占領面積も大きかった。
【０００５】
本発明はこれを鑑みてなされたものであり、その目的は、コンパクトに収容可能な体重計、体重計を収容可能なスタンド、スタンドを備えた体重計の提供である。
【課題を解決するための手段】
【０００６】
上記問題を解決するため、本発明のある態様での体重計は、秤量機構を有する大型の平板型計量台と、前記計量台を収容可能なスタンドとを備えた体重計であって、前記スタンドは、床面に接地して前記スタンドを自立させ、前記計量台を載置可能なベースと、前記ベースから立設され、前記計量台が前記ベースに載置された際に前記計量台を支持する支持部と、前記支持部の上方に上下方向に揺動可能に支持された表示部とを有し、前記表示部は、前記ベースに倒立状態で載置された前記計量台と係合するよう構成した。この態様によれば、表示部を係合部材として使用でき、計量台を倒立した状態で保持できるため、シンプルな構成でコンパクトに収容できる。
【０００７】
またある態様では、前記表示部の下面には係合部が設けられており、前記計量台が倒立状態で前記ベースに載置された際に、前記係合部が前記計量台の側面と底面の二面接合部に係合し前記計量台を固定するよう構成した。計量台の底面に係合部が係合するため、倒立した計量台の転倒を防止できる。
【０００８】
またある態様では、前記表示部の下面には、前記計量台と係合する凸状の係合部が下方へ向かって垂設されており、前記表示部は、前記計量台が倒立状態で載置された際の上端よりも上方位置で揺動可能に取付けされるよう構成した。この態様によれば、表示部は水平よりも下方に傾いた状態で計量台と係合するため、表示部の自重により計量台を押さえることができるため、係合が外れる心配がなく安全性が高い。
【０００９】
またある態様では、前記支持部は円柱形状の部材により構成され、表面に突起を有し、前記表示部は、前記突起が嵌通する溝が内面に形成されたＵ字または筒状のクランプにより前記支持部に取付けされるよう構成した。この態様によれば、表示部の移動が突起と溝により案内され、水平方向と上下方向の揺動角度が制限される。これにより各所ネジのゆるみが防止され、また表示部と計量台の係合も溝での案内により容易となる。
【００１０】
さらに、秤量機構を有する大型の平板型計量台を収容可能なスタンドであって、床面に接地して前記スタンド全体を自立させ、前記計量台を載置可能なベースと、前記ベースから立設された、前記計量台が前記ベースに際された際に前記計量台を支持する支持部と、前記支持部の上方に上下方向に揺動可能に支持された表示部とを備え、前記表示部は、前記ベースに倒立状態で載置された前記計量台と係合するスタンドを提供する。計量台が倒立状態で表示部に固定され、シンプルな構成でコンパクトに収納可能なスタンドを提供できる。
【００１１】
さらに、折り畳んで収納可能な体重計であって、秤量機構を有する大型の平板型計量台と、前記計量台に取付けられ、前記計量台を回動可能に支持するベースと、前記ベースから立設され、計量時に手すりとなる支持部と、前記支持部の上方に上下方向に揺動可能に支持された表示部とを有し、前記計量台が前記支持部へ向かって折りこまれた際、前記表示部が前記計量台に係合する体重計を提供する。計量台が折りたたんだ状態で収容されるため、棚と棚の間など、省スペースに収容可能である。
【発明の効果】
【００１２】
以上の説明から明らかなように、本発明によれば、コンパクトに収納可能な体重計、体重計を収納可能なスタンド、スタンドを備えた体重計が提供できる。
【図面の簡単な説明】
【００１３】
【図１】本発明の実施形態に係る体重計であり、（Ａ）は使用状態を、（Ｂ）は収容状態を示す。
【図２】スタンドの正面斜視図である。
【図３】スタンドの正面図である。
【図４】スタンドの右側面図である。
【図５】カバーを外した状態のスタンドの正面斜視図である。
【図６】表示部の分解斜視図である。
【図７】Ｕ字クランプを示し、（Ａ）が正面斜視図、（Ｂ）が正面図、（Ｃ）が背面図、（Ｄ）が右側面図、（Ｅ）が図７（Ｂ）のVII(E)−VII（E）線に沿った断面図、（Ｆ）が図７（Ｂ）のVII（F）-VII（F）線に沿った断面図である。
【図８】図３のVIII-VIII線に沿った断面図である。
【図９】表示部の揺動状態を示す説明図であり、（Ａ）が下方揺動時、（Ｂ）が上方揺動時を示す。
【図１０】計量台のスタンド収容を説明する説明図である。
【図１１】本発明に係る体重計の変形例である。
【発明を実施するための形態】
【００１４】
以下、本発明の好適な実施形態を、図面を参照しながら説明する。実施の形態は、発明を限定するものではなく例示であって、実施の形態に記述されるすべての特徴やその組み合わせは、必ずしも発明の本質的なものであるとは限らない。
【００１５】
図１は、本発明の実施形態に係る体重計１であり、（Ａ）が使用状態、（Ｂ）が収容状態を示し、図２〜図５はそれぞれ体重計１に備えられるスタンド２０の、正面斜視図、正面視、右側面図、カバーを外した状態の斜視図を示す。
【００１６】
図１に示すように、体重計１は、計量台１０と、スタンド２０を備える。計量台１０は、車椅子体重計などの医療用の大型薄型秤であり、車椅子に乗ったまま直接計量台１０に乗り上げたり、足を高く上げることなく直接計量台１０に載って測定できるように、平坦面の対向する二辺に、設置状態で床面に連なる緩勾配の傾斜部を備える。計量台１０の秤量機構は、例えば特開平１０−２３２１６１号などに詳しく、従来周知の構成である。
【００１７】
スタンド２０は、計量台１０を収容および搬送可能で、倒立状態（立てかけられた状態）の計量台１０支持して、そのままの状態で計量台１０を運ぶこともでき、計量台１０を収容した状態においても、計量台１０を収容しない単独の状態においても、他者による支えを必要とせず、自立可能である。
【００１８】
スタンド２０は、上下方向に揺動可能に支持された表示部４０を備える。体重計１を使用の際、表示部４０は、床面に設置された計量台１０とケーブル３０で接続されて計量結果を表示する（図１（Ａ）参照）。体重計１を収容の際は、ケーブル３０が外され、計量台１０が倒立してスタンド２０に収容され、表示部４０が計量台１０に係合して計量台１０を固定する（図１（Ｂ）参照）。計量台１０と表示部４０とは、ケーブル３０の代わりにBluetooth（登録商標）等の無線により接続されるよう構成しても良い。
【００１９】
スタンド２０は、床面に接地するベース２３、およびベース２３に立設される支持体２２、ベース２３を覆うカバー２７、計量台１０が載置される載置台２４、搬送に使用される一対のタイヤ２５を有する。
【００２０】
支持体２２は中空の金属部材から構成される。支持体２２は、ベース２３の底面部２３ａに垂設される二つの支持端部２２ａと、支持端部２２ａに連続して鉛直方向に対して背面方向へ所定角度で傾斜して上方に延びる傾斜部２２ｂと、傾斜部２２ｂに連続して水平方向（左右方向）に延びる持手部２２ｃ、及び二つの傾斜部２２ｂを水平方向に結ぶ水平部２２ｄとを有する。持手部２２ｃは体重計１を搬送の際に使用者に把持される。表示部４０は水平部２２ｄの前方側に支持される。支持体２２は、計量台１０を収容の際、これを支えて保持する。
【００２１】
ベース２３は一枚の金属製平板を屈曲・溶接することで形成され、スタンド２０自立時に床面との接地面である底面部２３ａ、支持体２２の背面に対向する一対の側面部２３ｃを有する。
【００２２】
側面部２３ｃの前面側の端部は支持端部２２ａに溶接されており、側面部２３ｃは支持体２２の立設を補強するリブの役割を果たす。
【００２３】
側面部２３ｃの外側には一対のタイヤ２５が、互いの軸が略一致するよう平行に、回動可能に支持されている。タイヤ２５は床面から離間して取り付けられており、スタンド２０が後方へ傾斜することでタイヤ２５が床面に接地し、スタンド２０は前後方向へ移動可能となる。使用者は、搬送時には持手部２２ｃを把持し、スタンド２０を自身に引き寄せて傾斜させて、前方へ押してあるいは後ろ手に引いて、体重計１を搬送する。
【００２４】
底面部２３ａの上面には、一枚の金属製平板から構成される載置台２４がネジ固定されている。載置台２４は、計量台１０を載置する載置面２４ａが底面とは緩角度を成すよう、前方側が高くなるように形成されている。これは、倒立して載置面２４ａに載置された計量台１０を、背面にある支持体２２の方向へ僅かに傾かせ、計量台１０の転倒を防止している。
【００２５】
ベース２３は、ベース２３の形状に合わせて形成されたカバー２７に覆われている。カバー２７には、前方に左右方向に延びる凹部２７ａが形成されている。凹部２７ａには、収容状態で底面となる計量台１０の傾斜部の無い側面部が嵌合する。凹部２７ａの底面には載置台２４に対応した開口部２７ｂが設けられており、カバー２７が取付けられた状態で、開口部２７ｂから載置面２４ａが露出する。
【００２６】
カバー２７の中央付近には物入れとして使用できる大きく窪んだ袋部２７ｃが形成されており、使用者が体重計１を搬送の際にはここへケーブル３０などを入れて一緒に運ぶことができる。カバー２７はタイヤ２５とは離間して配置され、タイヤ２５の回動を邪魔しない。
【００２７】
次に、表示部４０について図６〜図８を用いて詳しく説明する。図６は表示部４０の分解斜視図であり、図７は表示部４０の構成部品であるＵ字クランプを示し、（Ａ）が斜視図、（Ｂ）が正面図、（Ｃ）が背面図、（Ｄ）が右側面図、（Ｅ）が図７（Ｂ）のVII(E)−VII（E）線に沿った断面図、（Ｆ）が図７（Ｂ）のVII（F）-VII（F）線に沿った断面図である。図８は図３のVIII-VIII線に沿った断面図である。
【００２８】
図６に示すように、表示部４０は、表示部本体４１、金属ブラケット４２、係合部材４４、および一対のＵ字クランプ４６を備え、スタンド２０の水平部２２ｄに回動可能に取り付けられる。
【００２９】
金属ブラケット４２は、一枚の金属平板から構成され、上面視コの字形状の上面部４２ａ、上面部４２ａの背面側に鉛直下方に伸びる一対の背面部４２ｂを有する。
【００３０】
上面部４２ａには、孔４２ｆおよび孔４２ｅが形成されており、これらを挿通するネジ４５、ネジ４３により、表示部本体４１が上面部４２ａの上面に、係合部材４４が上面部４２ａの下面に、それぞれ固定される。
【００３１】
係合部材４４は、一方向に長い略直方体形状で、長手方向に伸びる段差部４４ｃを有し、孔４２ｅに対応する位置にネジ孔４４ａが、孔４２ｅに対応する位置に孔４４ｂが、それぞれ上下方向に貫通して設けられている。係合部材４４は、その長手方向を係合する計量台１０の載置方向（左右方向）に合わせて固定される。上面部４２ａから下方へ垂設される係合部材４４により表示部４０の下面が鍵型となって、倒立した計量台１０の側面を上方から覆い、係合部材４４が側面と底面の角部を引掛けて、計量台１０を固定する。計量台１０と直接係合する係合部材４４は、計量台１０を傷つけないよう樹脂材またはゴム材から構成される。
【００３２】
Ｕ字クランプ４６は、上下二本の水平に伸びる腕部４６ｅと、腕部４６ｅの背面同士を繋ぐ曲部４６ｆを備えた側面視横Ｕ字型のクランプである。腕部４６ｅの端部、即ち前面に、金属ブラケット４２の背面部４２ｂが嵌合する凹部４６ｂが上下に分割されて形成されている。
【００３３】
腕部４６ｅにはそれぞれ二箇所、計４か所、腕部４６ｅの伸長方向（前後方向）に貫通する孔４６ａが形成されている。Ｕ字の内側曲面４６ｃに中空円柱状の水平部２２ｄが嵌り、水平部２２ｄを挟んだＵ字クランプ４６の孔４６ａにネジ４７が挿通して、背面部４２ｂに形成されたネジ孔４２ｃに螺合する。内側曲面４６ｃに水平部２２ｄを挟んだままのＵ字クランプ４６が金属ブラケット４２の背面部４２ｂに固定されることで、表示部４０は水平部２２ｄに揺動可能に支持される。ネジ４７の締結力により表示部４０は保持され、上方向に揺動させても自重で下方へ移動することなく、そのままの角度を維持する。
【００３４】
表示部４０の揺動角度には制限がある。水平部２２ｄにはネジ孔２２ｅが設けられており、ここにネジ４８が螺合すると、ネジ４８の頭部４８ａが水平部２２ｄの外表から突出し、頭部４８ａは水平部２２ｄの突起となる。
【００３５】
突起としての頭部４８ａを嵌通させるものとして、Ｕ字クランプ４６の内側曲面４６ｃには、曲部４６ｆの中ほどまでの深さで、上下方向に伸びる縦溝４６ｄが形成されている。頭部４８ａを目印としてＵ字クランプ４６の水平部２２ｄへの取付位置が決定し、Ｕ字クランプ４６は頭部４８ａを縦溝４６ｄ内に納めて固定される。
【００３６】
表示部４０が上下方向に揺動の際は、頭部４８ａに対して縦溝４６ｄがガイドとなって表示部４０の移動を案内する。表示部４０は縦溝４６ｄに沿ってのみ移動可能となり、水平方向の移動、及び上下方向の揺動角度が制限される。
【００３７】
図９は、上下方向揺動時の縦溝４６ｄと頭部４８ａの関係を示す説明図である部分断面図である。（Ａ）が上方向揺動時、（Ｂ）が下方向揺動時を示す。図９に示すように、表示部４０は水平部２２ｄの突起である頭部４８ａを基準として、水平部２２ｄを中心に上下方向に揺動する。表示部４０を下方向に揺動させると、頭部４８ａが縦溝４６ｄの下面４６ｈに突き当たって表示部４０のそれ以上の下方向の揺動を制止し（図９（Ａ）参照）、上方向に揺動させると、頭部４８ａが今度は縦溝４６ｄの上面４６ｇに突き当たって表示部４０のそれ以上の上方向の揺動を制止する（図９（Ｂ）参照）。
【００３８】
本実施形態では、揺動角度を制限し、各所ネジのゆるみを防止し、表示部４０の保持力を維持したが、他の機構、例えばＣ字クランプを使用して表示部４０を水平部２２ｄに制限角度無く回動可能に支持しても構わない。また表示部４０を水平方向と鉛直方向の両方に自在に回動可能として計量結果を確認しやすいよう構成しても良い。
【００３９】
図１０に示すように、スタンド２０に計量台１０を収容の際は、まず表示部４０を上方に揺動させ、計量台１０を倒立させて載置面２４ａに載置し、再び表示部４０を下方に揺動させて計量台１０に係合させる。詳しくは、表示部４０の底面に設けられた係合部材４４の段差部４４ｃに計量台１０の側面と底面から成る角部を係合させる。水平部２２ｄの取付高さは、倒立した計量台１０の高さよりも高いため、表示部４０は水平よりも下方に傾斜した状態で計量台１０と係合する。計量台１０は凹部２７ａに嵌り、僅かに後方に傾倒しながら支持体２２に支持された状態で表示部４０に固定され、安定した状態でスタンド２０に保持される。
【００４０】
計量台１０が倒立した状態で保持されるため、収容時の床占領面積が少なく、棚と棚の間になどに省スペースで納めることができる。固定具として表示部４０を使用するため専用の固定具を用意する必要もなく、また固定方法も揺動させるだけと非常に簡単で、シンプルな構成でコンパクトに収容が可能である。
【００４１】
また表示部４０の底面に設けられた係合部材４４が計量台１０の底面に引っかかり、計量台１０が後方に傾倒した状態でこれをさらに後方に押し付ける方向に向かって力がかけられているため、計量台１０が前方に転倒する心配がない。表示部４０は水平状態より下方に傾いて計量台１０に係合するため、仮に表示部４０の保持力が低下して自身を支えられなくなっても、自重により、より下方に向かって揺動するため、係合が勝手に解かれることがなく安全である。
【００４２】
本発明の好適な実施形態を説明したが、本発明は上記構成に限られない。図１１に変形例として体重計１Ａを示す。体重計１Ａは別体としてのスタンドを有さず、前述のスタンド２０と計量台１０が一体化しており、幅広のベース２３が計量台１０にヒンジを介して回動可能に取付けされ、支持体２２は上方に延びて手すりとして使用される。水平方向及び鉛直方向に回動可能な表示部４０は持手部２２ｃに支持される。使用時には計量台１０が床面に設置され、収納時には計量台１０は支持体２２側に回転して上方へ折りこまれ、ベース２３が床に接地して計量台１０を支え、表示部４０が畳まれた計量台１０に係合してこれを固定する。コンパクトに畳むことができ、省スペースに収納できる。
【００４３】
以上、本発明の好ましい実施形態や変形例について述べたが、上記の実施形態は本発明の一例であり、これらを当業者の知識に基づいて組み合わせることが可能であり、そのような形態も本発明の範囲に含まれる。
【符号の説明】
【００４４】
１  体重計
１０  計量台
２０  スタンド
２２  支持体
２２ｄ  水平部
２３  ベース
２３ａ  底面部
２４  載置台
４０  表示部
４４  係合部材
４４ｃ  段差部
４６  Ｕ字クランプ
４６ｄ  縦溝
【図１】
2020112360.tif 000003
【図２】
2020112360.tif 000004
【図３】
2020112360.tif 000005
【図４】
2020112360.tif 000006
【図５】
2020112360.tif 000007
【図６】
2020112360.tif 000008
【図７】
2020112360.tif 000009
【図８】
2020112360.tif 000010
【図９】
2020112360.tif 000011
【図１０】
2020112360.tif 000012
【図１１】
2020112360.tif 000013